(57)【要約】  【課題】高温の温風が流れる風路内から外部への熱移動を低減させ、乾燥時間の短縮を図る。  【解決手段】収納ケース１３あるいは加熱ダクト１１あるいは回転ドラム３の、少なくとも外周壁部１４の一部と間隔をおいて面材１５を設け、収納ケース１３あるいは加熱ダクト１１あるいは回転ドラム３の、少なくとも外周壁部１４の一部と面材１５の間に断熱材１６を設けたことにより、高温の温風が流れる風路内から外部への熱移動を低減でき、断熱効果を高める仕様となり、乾燥時に回転ドラム内に高温で温風が入るので洗濯物の乾燥が促進され、洗濯乾燥時に回転ドラム内の洗濯物の乾燥時間を短縮でき消費電力量を削減できる。【選択図】図１
2008086620.tif 000002
【特許請求の範囲】
【請求項１】
有底円筒形に形成された回転ドラムをその回転軸芯が開口端側から底面側に向けて下向きに傾斜となる水槽内に配置し、
前記回転ドラムは、圧縮機と凝縮器と蒸発器とから成るヒートポンプユニットの収納ケースと加熱ダクトと除湿ダクトとにより接続配置し、
前記収納ケース及び前記加熱ダクト及び前記回転ドラムの少なくとも外周壁部の一部と間隔をおいて面材を設け、前記収納ケース及び前記加熱ダクト及び前記回転ドラムの少なくとも外周壁部の一部と前記面材の間に断熱構造体を設けた斜めドラム式洗濯乾燥機。
【請求項２】
前記断熱構造体は、断熱材と真空断熱材とからなる請求項１に記載の斜めドラム式洗濯乾燥機。
【請求項３】
前記断熱構造体は、前記収納ケース及び前記加熱ダクト及び前記回転ドラムの外周壁部の全面に設けた請求項２に記載の斜めドラム式洗濯乾燥機。
【請求項４】
有底円筒形に形成された回転ドラムをその回転軸芯が開口端側から底面側に向けて下向きに傾斜となる水槽内に配置し、
前記回転ドラムは、圧縮機と凝縮器と蒸発器とから成るヒートポンプユニットの収納ケースと加熱ダクトと除湿ダクトとにより接続配置し、
前記除湿ダクトの外周に放熱部材を取り付けた斜めドラム式洗濯乾燥機。
【請求項５】
前記放熱部材は、洗濯機筐体に取り付けられた固定部材とした請求項４に記載の斜めドラム式洗濯乾燥機。
【請求項６】
有底円筒形に形成された回転ドラムをその回転軸芯が開口端側から底面側に向けて下向きに傾斜となる水槽内に配置し、
前記回転ドラムは、圧縮機と凝縮器と蒸発器とから成るヒートポンプユニットの収納ケースと加熱ダクトと除湿ダクトとにより接続配置し、
前記回転ドラムの透孔は、前面の透孔を奥面の透孔より大きくし、奥面に行くに従い透孔を小さく配置した斜めドラム式洗濯乾燥機。
【請求項７】
前記回転ドラムの透孔は、中間部を除いて設けた請求項６に記載の斜めドラム式洗濯乾燥機。
【請求項８】
有底円筒形に形成された回転ドラムをその回転軸芯が開口端側から底面側に向けて下向きに傾斜となる水槽内に配置し、
前記回転ドラムは、圧縮機と凝縮器と蒸発器とから成るヒートポンプユニットの収納ケースと加熱ダクトと除湿ダクトとにより接続配置し、
前記回転ドラム内に取り付けられた複数個の攪拌突起は、左右上下に非対称の構造として取り付けた斜めドラム式洗濯乾燥機。
【請求項９】
有底円筒形に形成された回転ドラムをその回転軸芯が開口端側から底面側に向けて下向きに傾斜となる水槽内に配置し、
前記回転ドラムは、圧縮機と凝縮器と蒸発器とから成るヒートポンプユニットの収納ケースと加熱ダクトと除湿ダクトとにより接続配置し、
前記回転ドラム内に取り付けられた攪拌突起は、前面の透孔を奥面の透孔より大きくし、奥面に行くに従い透孔を小さく配置した斜めドラム式洗濯乾燥機。
【請求項１０】
前記収納ケースの内部にヒータを取り付け配置し、前記ヒートポンプユニットと前記ヒータで加熱した請求項１または４または６または８または９に記載の斜めドラム式洗濯乾燥機。
【発明の詳細な説明】
【技術分野】
【０００１】
本発明は、斜めドラム式洗濯乾燥機に関するものである。
【背景技術】
【０００２】
図１１は、従来技術に係るドラム式洗濯機の構成を示すもので、洗濯機筐体６７内に回転ドラム６１がその回転軸方向が水平方向になるようにして水槽６３内に配置されている。
【０００３】
洗濯機筺体６７の正面側に設けられた扉体６４を開き、扉体６４に対向させて、水槽６３に形成されている洗濯物出入口６８から回転ドラム６１内に洗濯物を投入し、ドラム駆動モータ６５によって回転ドラム６１を回転させることにより、回転ドラム６１内に収容された洗濯物を回転ドラム６１の内周壁に設けられた攪拌突起６６に引き掛けられて持ち上げ、持ち上げられた洗濯物が適当な高さから落下することによって洗濯物が叩き洗いされる（例えば、特許文献１参照）。
【０００４】
上記構成のドラム式洗濯機に乾燥機能を設けることにより、洗濯に加えて脱水後の洗濯物や濡れた衣類等を乾燥する機能を備えたドラム式乾燥機を構成することができる。
【０００５】
即ち、水槽６３内から排気すると、回転ドラム６１内の湿気を含む空気が回転ドラム６１の周面に多数形成された透孔６２から排出されるので、湿気を含む空気を除湿手段に通して除湿した後、加熱手段によって再び水槽６３内の送風する空気循環経路を形成することにより、回転ドラム６１内に収容した洗濯物や衣類を乾燥することができる。
【０００６】
しかし、ドラム式洗濯機もしくはドラム式洗濯乾燥機は、回転ドラム６１を横向きに配しているため洗濯物の出し入れは正面側から行うことになり、腰を屈める作業が伴う苦痛や日本の狭い住宅事情に不適な構造とされてきた。このドラム式洗濯乾燥機の課題を解決すべく、回転ドラム６１の開口する側が上向きとなるように回転軸芯を傾斜させることにより、洗濯物の出し入れを容易にして、狭い空間にも配置することができるドラム式洗濯乾燥機に構成することができる。
【特許文献１】特開平９−２１５８９４号公報
【発明の開示】
【発明が解決しようとする課題】
【０００７】
しかしながら、回転ドラム６１を水平方向から前上がりに傾斜させると、回転ドラム６１内に収容された洗濯物は回転ドラム６１の低い位置、即ち有底円筒形に形成された回転ドラム６１の底側に偏り、更に回転ドラム６１を回転させると、回転ドラム６１の内周面に設けられた攪拌突起６６に引っ掛けられて円周方向に持ち上げられた洗濯物が上方から落下したとき回転ドラム６１の底面側に落ちるため、回転ドラム６１の回転は洗濯物を底側に集めるように作用する。従って、回転ドラム６１を傾斜配置した構造の斜めドラム式洗濯乾燥機においては、洗濯物に万遍なく温風を当てて乾燥を促進させる必要があるが、乾燥時には回転ドラム内の水の貯留がないため水の流動に伴う洗濯物の移動が無く、乾燥が進行するほどに軽くなってくる洗濯物は回転ドラム６１の内周面にもうけられた攪拌突起６６による攪拌作用も受け難くなるので、洗濯物が回転ドラム６１の底面にたまりやすく、全ての洗濯物に満遍なく乾燥の作用が及ばないため、乾燥ムラやシワが発生し除湿ができにくく、乾燥時間が長く消費電力量が多いという課題を有していた。
【０００８】
また、高温の温風が流れる風路内から外部への熱移動が多く、乾燥時間が長く消費電力量が多いという課題を有していた。
【０００９】
本発明は上記の課題を解決するもので、乾燥時間を短縮できる斜めドラム式洗濯乾燥機を提供することを目的とする。
【課題を解決するための手段】
【００１０】
上記従来の課題を解決するために、本発明の斜めドラム式洗濯乾燥機は、収納ケース及び加熱ダクト及び回転ドラムの少なくとも外周壁部の一部と間隔をおいて面材を設け、収納ケース及び加熱ダクト及び回転ドラムの少なくとも外周壁部の一部と面材の間に断熱構造体を設けたものである。
【００１１】
これによって、高温の温風が流れる収納ケースや加熱ダクトの風路内から外部への熱移動を低減でき、断熱効果を高める仕様となる。
【００１２】
また、本発明の斜めドラム式洗濯乾燥機は、除湿ダクトの外周に放熱部材を取り付けたものである。
【００１３】
これによって、回転ドラムから除湿ダクトとヒートポンプユニットの収納ケースに戻る高湿温風は、放熱部材により放熱冷却され、除湿ダクト内は予め除湿され低湿低温でヒートポンプユニットの収納ケースに戻り、更に除湿される。
【００１４】
また、本発明の斜めドラム式洗濯乾燥機は、回転ドラムの透孔は、前面の透孔を奥面の透孔より大きくし、奥面に行くに従い透孔を小さく配置したものである。
【００１５】
これによって、回転ドラム内の奥から温風が前面まで流れ、洗濯乾燥時に温風が、回転ドラムの前後の洗濯物に均一に当たり除湿ダクトに戻り易くなる。
【００１６】
また、本発明の斜めドラム式洗濯乾燥機は、回転ドラム内に取り付けられた複数個の攪拌突起は、左右上下に非対称の構造として取り付けたものである。
【００１７】
これによって、洗濯物が乾燥時に回転ドラム内で、前後に移動し易くなるために、回転ドラム内の奥から温風が前後の洗濯物に均一に当たり易くなり、洗濯物の乾燥の偏りを回避することができ、乾燥ムラやシワの発生を防止することができ、除湿ダクトに戻り易くなる。
【００１８】
また、本発明の斜めドラム式洗濯乾燥機は、回転ドラム内に取り付けられた攪拌突起は、前面の透孔を奥面の透孔より大きくし、奥面に行くに従い透孔を小さく配置したものである。
【００１９】
これによって、回転ドラム前面の温風が除湿ダクトに戻り循環し易くなる。
【発明の効果】
【００２０】
本発明の斜めドラム式洗濯乾燥機は、洗濯乾燥時に回転ドラム内の洗濯物の乾燥時間を短縮でき、消費電力量を削減できる。さらには、ヒートポンプユニットを小型軽量化でき、製造が容易にでき、コスト高を削減できる。
【発明を実施するための最良の形態】
【００２１】
請求項１に記載の発明は、有底円筒形に形成された回転ドラムをその回転軸芯が開口端側から底面側に向けて下向きに傾斜となる水槽内に配置し、前記回転ドラムは、圧縮機と凝縮器と蒸発器とから成るヒートポンプユニットの収納ケースと加熱ダクトと除湿ダクトとにより接続配置し、前記収納ケース及び前記加熱ダクト及び前記回転ドラムの少なくとも外周壁部の一部と間隔をおいて面材を設け、前記収納ケース及び前記加熱ダクト及び前記回転ドラムの少なくとも外周壁部の一部と前記面材の間に断熱構造体を設けたことにより、高温の温風が流れる収納ケースや加熱ダクトや回転ドラムの風路内から外部への熱移動を低減でき、断熱効果を高める仕様となり、乾燥時に回転ドラム内に高温で温風が入るので洗濯物の乾燥が促進され、洗濯乾燥時に回転ドラム内の洗濯物の乾燥時間を短縮でき消費電力量を削減できる。
【００２２】
請求項２に記載の発明は、請求項１に記載の発明において、前記断熱構造体は、断熱材と真空断熱材とからなることにより、風路内から外部の熱移動が更に削減され、更に断熱効果を高める仕様となり、洗濯乾燥時に回転ドラム内に更に高温の温風が入るので乾燥時間を更に短縮できる。
【００２３】
請求項３に記載の発明は、請求項２に記載の発明において、前記断熱構造体は、収納ケース及び加熱ダクト及び回転ドラムの外周壁部の全面に設けたことにより、風路内から外部の熱移動がより更に削減され、断熱効果を高める仕様となり、洗濯乾燥時に回転ドラム内により更に高温の温風が入るので乾燥時間をより更に短縮できる。しかもヒートポンプユニットを小型軽量化でき、製造が容易にできコスト高を削減できる。
【００２４】
請求項４に記載の発明は、有底円筒形に形成された回転ドラムをその回転軸芯が開口端側から底面側に向けて下向きに傾斜となる水槽内に配置し、前記回転ドラムは、圧縮機と凝縮器と蒸発器とから成るヒートポンプユニットの収納ケースと加熱ダクトと除湿ダクトとにより接続配置し、前記除湿ダクトの外周に放熱部材を取り付けたことにより、回転ドラムから除湿ダクトとヒートポンプユニットの収納ケースに戻る高湿温風は、放熱部材により除湿ダクト内で放熱冷却され除湿され、低湿低温でヒートポンプユニットの収納ケースに戻ることとなり、回転ドラム内には低湿温風が入り、洗濯乾燥時間が短縮でき、高圧側の圧縮機と凝縮器の負荷（高圧圧力）が低減でき消費電力量を削減できる。
【００２５】
請求項５に記載の発明は、請求項４に記載の発明において、前記放熱部材は、洗濯機筐体に取り付けられた固定部材としたことにより、洗濯機筐体を放熱面積として活用できるため、回転ドラムから除湿ダクトとヒートポンプユニットの収納ケースに戻る高湿温風は、放熱部材により除湿ダクト内で更に放熱冷却され除湿され、低湿低温でヒートポンプユニットの収納ケースに戻ることとなり、回転ドラム内には更に低湿温風が入り、洗濯乾燥時間が更に短縮できる。
【００２６】
請求項６に記載の発明は、有底円筒形に形成された回転ドラムをその回転軸芯が開口端側から底面側に向けて下向きに傾斜となる水槽内に配置し、前記回転ドラムは、圧縮機と凝縮器と蒸発器とから成るヒートポンプユニットの収納ケースと加熱ダクトと除湿ダクトとにより接続配置し、前記回転ドラムの透孔は、前面の透孔を奥面の透孔より大きくし、奥面に行くに従い透孔を小さく配置したことにより、回転ドラム内の奥から温風が前面まで流れ、洗濯乾燥時に温風が、回転ドラムの前後の洗濯物に均一に当たり除湿ダクトに戻り易くなり、回転ドラム内の洗濯物を均一に乾燥し易くなり、乾燥ムラやシワの発生を防止でき乾燥時間が短縮できるので消費電力量を低減できる。
【００２７】
請求項７に記載の発明は、請求項６に記載の発明において、前記回転ドラムの透孔は、中間部を除いて設けたことにより、回転ドラム内の奥から温風がより前面まで流れ、回転ドラムの前面の透孔に温風が流れ除湿ダクトに戻り循環し易くなるので、乾燥ムラやシワの発生を防止でき乾燥時間が短縮でき消費電力量を低減できる。
【００２８】
請求項８に記載の発明は、有底円筒形に形成された回転ドラムをその回転軸芯が開口端側から底面側に向けて下向きに傾斜となる水槽内に配置し、前記回転ドラムは、圧縮機と凝縮器と蒸発器とから成るヒートポンプユニットの収納ケースと加熱ダクトと除湿ダクトとにより接続配置し、前記回転ドラム内に取り付けられた複数個の攪拌突起は、左右上下に非対称の構造として取り付けたことにより、洗濯物が乾燥時に回転ドラム内で、前後に移動し易くなるために、回転ドラム内の奥からの温風が、前後の洗濯物に均一に当たり易くなり、洗濯物の乾燥の偏りを回避することができ、乾燥ムラやシワの発生を防止することができ、除湿ダクトに戻り易くなり、乾燥時間が短縮でき消費電力量を低減できる。
【００２９】
請求項９に記載の発明は、有底円筒形に形成された回転ドラムをその回転軸芯が開口端側から底面側に向けて下向きに傾斜となる水槽内に配置し、前記回転ドラムは、圧縮機と凝縮器と蒸発器とから成るヒートポンプユニットの収納ケースと加熱ダクトと除湿ダクトとにより接続配置し、前記回転ドラム内に取り付けられた攪拌突起は、前面の透孔を奥面の透孔より大きくし、奥面に行くに従い透孔を小さく配置したことにより、回転ドラム前面の温風が除湿ダクトに戻り循環し易くなるので、乾燥ムラやシワの発生を防止でき乾燥時間が短縮でき消費電力量を低減できる。
【００３０】
請求項１０に記載の発明は、請求項１または４または６または８または９に記載の発明において、収納ケースの内部にヒータを取り付け配置し、ヒートポンプユニットとヒータで加熱したことにより、回転ドラム内の温風は、ヒートポンプユニットとヒータの加熱により更に高い温度の温風となり、より一層乾燥時間を短縮でき、消費電力量をより一層低減できる。
【００３１】
以下、本発明の実施の形態について、図面を参考にしながら説明する。なお、この実施の形態によってこの発明が限定されるものではない。
【００３２】
（実施の形態１）
図１は、本発明の実施の形態１における斜めドラム式洗濯乾燥機の断面図である。
【００３３】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００３４】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００３５】
ここで、ヒートポンプユニット１０の収納ケース１３は、外周壁部１４と間隔をおいて全面に面材１５を設け、収納ケース１３の外周壁部１４と面材１５の間に断熱材１６（断熱構造体）とで成る構造とする斜めドラム式洗濯乾燥機２のヒートポンプユニット１０であり、外部からの侵入熱量を削減できる。従って加熱が促進され、洗濯乾燥時、高温の温風が流れる収納ケース１３の風路内から外部への熱移動を低減でき、断熱効果を高める仕様となり、洗濯乾燥時に回転ドラム内１７に高温の温風が入るので洗濯物の乾燥が促進され、洗濯乾燥時に回転ドラム内１７の洗濯物の乾燥時間を短縮でき消費電力量を削減できる。
【００３６】
なお、断熱材１６としては、発泡スチロール、ウレタン、グラスウール等を使用することができる。
【００３７】
なお、本実施の形態では、収納ケース１３の全面に断熱材１６を設けたが、収納ケース１３の全面ではなく、収納ケース１３の一部部分のみに断熱材１６を設けてもよい。
【００３８】
また、本実施の形態では、収納ケース１３に断熱材１６を設けたが、加熱ダクト１１あるいは回転ドラム３の全面、もしくは、加熱ダクト１１あるいは回転ドラム３の一部分のみに断熱材１６を設けてもよい。
【００３９】
（実施の形態２）
図２は、本発明の実施の形態２における斜めドラム式洗濯乾燥機の断面図である。
【００４０】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００４１】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００４２】
図２に示すように、ヒートポンプユニット１０の収納ケース１３は、外周壁部１４と間隔をおいて全面に面材１５を設け、収納ケース１３の外周壁部１４と面材１５の間に、断熱構造体として、断熱材１６と真空断熱材１８とで成る構造とする斜めドラム式洗濯乾燥機２のヒートポンプユニット１０であり、外部からの侵入熱量を更に削減できる。従って加熱が促進され、洗濯乾燥時、高温の温風が流れる収納ケース１３の風路内から外部の熱移動を更に低減でき、断熱効果を高める仕様となり、洗濯乾燥時に回転ドラム内１７に更に高温の温風が入るので洗濯物の乾燥が促進され、洗濯乾燥時に回転ドラム内１７の洗濯物の乾燥時間を更に短縮でき消費電力量を削減できる。
【００４３】
なお、断熱材１６としては、発泡スチロール、ウレタン、グラスウール等を使用することができる。
【００４４】
（実施の形態３）
図３は、本発明の実施の形態３における斜めドラム式洗濯乾燥機の断面図である。
【００４５】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００４６】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００４７】
図３に示すように、ヒートポンプユニット１０の収納ケース１３及び加熱ダクト１１及び回転ドラム３は、外周壁部１４と間隔をおいて全面に面材１５を設け、外周壁部１４と面材１５の間に、断熱構造体として、断熱材１６と真空断熱材１８とで成る構造とする斜めドラム式洗濯乾燥機２のヒートポンプユニット１０であり、外部からの侵入熱量をより更に削減できる。従って加熱が促進され、洗濯乾燥時、高温の温風が流れる収納ケース１３の風路内から外部の熱移動をより更に低減でき、断熱効果を高める仕様となり、洗濯乾燥時に回転ドラム内１７により更に高温の温風が入るので洗濯物の乾燥が促進され、洗濯乾燥時に回転ドラム内１７の洗濯物の乾燥時間をより更に短縮でき消費電力量を削減できる。
【００４８】
なお、断熱材１６としては、発泡スチロール、ウレタン、グラスウール等を使用することができる。
【００４９】
（実施の形態４）
図４は、本発明の実施の形態４における放熱部材の斜視図である。
【００５０】
図４に示すように、除湿ダクト１２の外周に放熱部材１９を付けられた構造であり、高湿温風は、回転ドラム３（図示しない）から除湿ダクト１２へ流れ、除湿ダクト１２から収納ケース１３（図示しない）に戻る高湿温風は、放熱部材１９により除湿ダクト１２が放熱冷却され、除湿ダクト１２内は予め除湿され低湿低温でヒートポンプユニット１０（図示しない）の収納ケース１３（図示しない）に戻ることができる。従って、回転ドラム内１７（図示しない）には低湿温風が入り、洗濯乾燥時間が短縮でき、高圧側の圧縮機（図示しない）と凝縮器８（図示しない）の負荷（高圧圧力）が低減できる為に消費電力量を削減できる。
【００５１】
なお、放熱部材１９は、除湿ダクト１２の形状（ここでは円形の形状）にあわせ半円状に切り欠きを設け、この切り欠きに除湿ダクト１２の外周を密着固定させる。
【００５２】
なお、本実施の形態では、放熱部材１９として、アルミ材のヒートシンクとしたが、１枚ごとに独立した銅材やアルミ材のフィンを除湿ダクト１２に取り付けたものでもよい。
【００５３】
（実施の形態５）
図５は、本発明の実施の形態５における固定部材の斜視図である。
【００５４】
図５に示すように、除湿ダクト１２は洗濯機筐体２０に取り付けられた固定部材２１と接触した構造であり、回転ドラム３（図示しない）から除湿ダクト１２の外郭にヒートポンプユニット１０（図示しない）の収納ケース１３（図示しない）に戻る高湿温風は、洗濯機筐体２０に取り付けられた固定部材２１により除湿ダクト１２が放熱冷却され、除湿ダクト１２内は予め除湿され低湿温風でヒートポンプユニット１０（図示しない）の収納ケース１３（図示しない）に戻ることができる。従って、回転ドラム内１７（図示しない）には低湿温風が入り、洗濯乾燥時間が短縮でき、高圧側の圧縮機（図示しない）と凝縮器８（図示しない）の負荷（高圧圧力）が低減できる為に消費電力量を削減できる。
【００５５】
除湿ダクト１２は、洗濯機筐体２０に取り付けられた固定部材２１と密着固定されているため、洗濯機筐体２０を放熱面積として活用でき放熱面積を拡大できるため、回転ドラム３（図示しない）から除湿ダクト１２とヒートポンプユニット１０（図示しない）の収納ケース１３（図示しない）に戻る高湿温風は、固定部材２１により除湿ダクト１２内で更に放熱冷却され除湿され、低湿温風でヒートポンプユニット１０（図示しない）の収納ケース１３（図示しない）に戻ることとなり、回転ドラム内１７（図示しない）には更に低湿温風が入り、洗濯乾燥時間が更に短縮できる。
【００５６】
なお、固定部材２１は、除湿ダクト１２内の高湿温風を放熱冷却され除湿する点からアルミ材が好ましい。
【００５７】
（実施の形態６）
図６は、本発明の実施の形態６における斜めドラム式洗濯乾燥機の断面図である。ここでは、実施の形態１と異なる箇所を中心について説明する。
【００５８】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００５９】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００６０】
図６に示すように、ヒートポンプユニット１０の収納ケース１３及び加熱ダクト１１及び回転ドラム３は、外周壁部１４と間隔をおいて全面に面材１５を設け、外周壁部１４と面材１５の間に、断熱構造体として、断熱材１６と真空断熱材１８とで成る構造とする斜めドラム式洗濯乾燥機２のヒートポンプユニット１０であり、外部からの侵入熱量をより更に削減できる。従って加熱が促進され、洗濯乾燥時、高温の温風が流れる収納ケース１３の風路内から外部の熱移動をより更に低減でき、断熱効果を高める仕様となり、洗濯乾燥時に回転ドラム内１７により更に高温の温風が入るので洗濯物の乾燥が促進され、洗濯乾燥時に回転ドラム内１７の洗濯物の乾燥時間をより更に短縮でき消費電力量を削減できる。
【００６１】
なお、断熱材１６としては、発泡スチロール、ウレタン、グラスウール等を使用することができる。
【００６２】
図６に示すように、回転ドラム３の透孔２２は、前面の透孔２３を奥面の透孔２４より大きくし、奥面に行くに従い透孔２２を小さく配置した構造とする。従って、洗濯乾燥時、回転ドラム内１７の前面の透孔２３へ温風が流れ、温風が除湿ダクト１２に戻り循環し易くなるので、回転ドラム内１７の洗濯物が均一に乾燥し易くなり、乾燥ムラやシワの発生を防止でき、乾燥時間が短縮できるので消費電力量を低減できる。
【００６３】
なお、本実施の形態では、前面から奥面に行くに従い、透孔２２は徐々に小さくしたものであるが、例えば、前面の２列は同じ大きさの透孔とし、次の２列は前面の２列より小さくかつ同じ大きさの透孔とするなど、段階的に小さくしてもよく、必ずしも徐々に小さくする必要はない。
【００６４】
（実施の形態７）
図７は、本発明の実施の形態７における斜めドラム式洗濯乾燥機の断面図である。
【００６５】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００６６】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００６７】
図７に示すように、ヒートポンプユニット１０の収納ケース１３及び加熱ダクト１１及び回転ドラム３は、外周壁部１４と間隔をおいて全面に面材１５を設け、外周壁部１４と面材１５の間に、断熱構造体として、断熱材１６と真空断熱材１８とで成る構造とする斜めドラム式洗濯乾燥機２のヒートポンプユニット１０であり、外部からの侵入熱量をより更に削減できる。従って加熱が促進され、洗濯乾燥時、高温の温風が流れる収納ケース１３の風路内から外部の熱移動をより更に低減でき、断熱効果を高める仕様となり、洗濯乾燥時に回転ドラム内１７により更に高温の温風が入るので洗濯物の乾燥が促進され、洗濯乾燥時に回転ドラム内１７の洗濯物の乾燥時間をより更に短縮でき消費電力量を削減できる。
【００６８】
なお、断熱材１６としては、発泡スチロール、ウレタン、グラスウール等を使用することができる。
【００６９】
図７に示すように、斜めドラム式洗濯乾燥機２の回転ドラム３の透孔２２は、前面の透孔２３を奥面の透孔２４より大きくし、中間部を除いて透孔２２を設けたものである。従って、回転ドラム３内の奥からからの高温温風の多くは、回転ドラム３の前面の透孔２３に戻り易くなり、洗濯乾燥時、回転ドラム内１７の前面の透孔２３に温風が流れ除湿ダクト１２へ戻り循環しやすくなるので、回転ドラム内１７の前後の洗濯物が均一に乾燥し易くなり、乾燥ムラやシワの発生を防止でき乾燥時間が短縮でき消費電力量を低減できる。
【００７０】
（実施の形態８）
図８は、本発明の実施の形態８における斜めドラム式洗濯乾燥機の断面図である。
【００７１】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００７２】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００７３】
ここで、ヒートポンプユニット１０の収納ケース１３は、外周壁部１４と間隔をおいて全面に面材１５を設け、収納ケース１３の外周壁部１４と面材１５の間に断熱材１６（断熱構造体）とで成る構造とする斜めドラム式洗濯乾燥機２のヒートポンプユニット１０であり、外部からの侵入熱量を削減できる。従って加熱が促進され、洗濯乾燥時、高温の温風が流れる収納ケース１３の風路内から外部への熱移動を低減でき、断熱効果を高める仕様となり、洗濯乾燥時に回転ドラム内１７に高温の温風が入るので洗濯物の乾燥が促進され、洗濯乾燥時に回転ドラム内１７の洗濯物の乾燥時間を短縮でき消費電力量を削減できる。
【００７４】
なお、断熱材１６としては、発泡スチロール、ウレタン、グラスウール等を使用することができる。
【００７５】
図８に示すように、斜めドラム式洗濯乾燥機２の水槽内７の回転ドラム内１７に攪拌突起２５が四個（図は二個）設けられている。この攪拌突起２５は、左右上下に非対称の構造として、回転ドラム１７内に取り付けられている。従って、洗濯乾燥時に回転ドラム内１７の手前の洗濯物（図示しない）が、回転ドラム内１７の前後の洗濯物を均一に回転するため、洗濯乾燥時に洗濯物が回転ドラム内１７の前面及び奥面に移動し易くなり、温風が洗濯物に均一に当たり乾燥できるので洗濯物の乾燥の偏りを回避することができ、乾燥ムラやシワの発生を防止することができ、除湿ダクトに戻り易くなり、乾燥時間が短縮でき消費電力量を低減できる。
【００７６】
なお、攪拌突起２５は、四個以上でもよく、その場合も、左右上下に非対称の構造として、回転ドラム内１７に取り付ければよい。
【００７７】
（実施の形態９）
図９は、本発明の実施の形態９における斜めドラム式洗濯乾燥機のドラム内の攪拌突起の斜視図である。
【００７８】
図９に示すように、攪拌突起２５の透孔２２は前面の透孔２３を奥面の透孔２４より大きくし、奥面に行くに従い透孔２２を小さく配置した構造である。奥面に行くに従い透孔２２を小さく配置する為、洗濯乾燥時に回転ドラム内１７（図示しない）の前面に温風が流れ除湿ダクト１２（図示しない）へ戻り循環しやすくなるので、乾燥ムラやシワの発生を防止でき乾燥時間が短縮でき消費電力量を低減できる。
【００７９】
なお、本実施の形態では、前面から奥面に行くに従い、透孔２２は徐々に小さくしたものであるが、例えば、前面の２列は同じ大きさの透孔とし、次の２列は前面の２列より小さくかつ同じ大きさの透孔とするなど、段階的に小さくしてもよく、必ずしも徐々に小さくする必要はない。
【００８０】
（実施の形態１０）
図１０は、本発明の実施の形態１０における斜めドラム式洗濯乾燥機の断面図である。
【００８１】
扉体１は斜めドラム式洗濯乾燥機２の前に立つ人の顔方向に向くようになり、楽に洗濯物を出し入れすることができる。従って、斜めドラム式洗濯乾燥機２の正面に余裕のある空間を確保する必要もなく、従来の縦型洗濯機を設置していた洗面所などの狭いスペースに斜めドラム式洗濯乾燥機２を設置していた洗面所などの狭いスペースに斜めドラム式洗濯乾燥機２を設置することが可能となり、狭い日本の住環境にも適合する斜めドラム式洗濯乾燥機２に構成することができる。
【００８２】
また、有底円筒形に形成された回転ドラム３をその回転軸芯４が開口端側５から底面側６に向けて下向きに傾斜となる水槽内７に配置し、水槽内７の回転ドラム３は、圧縮機（図示しない）と凝縮器８と蒸発器９とから成るヒートポンプユニット１０と、回転ドラム３へ温風を送る加熱ダクト１１と、回転ドラム３から流れ出た空気が流れる除湿ダクト１２と、により接続配置されている。風の流れとしては、ヒートポンプユニット１０の凝縮器８で加熱された高温の温風が加熱ダクト１１を流れ、その後、回転ドラム内１７に入り、洗濯物を乾燥し、高湿の温風が透孔２２を通り、除湿ダクト１２を流れ、ヒートポンプユニット１０に戻り蒸発器９により除湿され、再び凝縮器８で加熱され高温の温風が加熱ダクト１１を流れる。
【００８３】
図１０に示すように、ヒートポンプユニット１０の収納ケース１３内部にヒータ２６を取り付けた配置の斜めドラム式乾燥洗濯機２である。収納ケース１３内部にヒータ２６を取り付けた配置にすることにより、洗濯乾燥時の回転ドラム内１７の温風は、ヒートポンプユニット１０単体の加熱と比較して、ヒートポンプユニット１０とヒータ２６の加熱により更に高い温度の温風で洗濯乾燥できる。従って乾燥時間をより一層短縮でき消費電力量をより一層低減できる。
【００８４】
ヒータ２６は、洗濯乾燥時に高温温風で洗濯乾燥を行い、乾燥時間の短縮を図る点と製造原価を安価に抑える点で、ヒートポンプユニット１０内の収納ケース１３内部にヒータ２６を取り付ける。
【００８５】
本実施の形態は、ヒートポンプユニット１０の収納ケース１３内部にヒータ２６を取り付けたが、加熱ダクト１１の内部に設けてもよい。
【産業上の利用可能性】
【００８６】
以上のように、本発明にかかる斜めドラム式洗濯乾燥機は、洗濯乾燥時間が短縮できるので消費電力量を低減でき、洗濯乾燥時に必要となる電気エネルギーの省力化に大きく貢献できる。
【図面の簡単な説明】
【００８７】
【図１】本発明の実施の形態１における斜めドラム式洗濯乾燥機の断面図
【図２】本発明の実施の形態２における斜めドラム式洗濯乾燥機の断面図
【図３】本発明の実施の形態３における斜めドラム式洗濯乾燥機の断面図
【図４】本発明の実施の形態４における放熱部材の斜視図
【図５】本発明の実施の形態５における固定部材の斜視図
【図６】本発明の実施の形態６における斜めドラム式洗濯乾燥機の断面図
【図７】本発明の実施の形態７における斜めドラム式洗濯乾燥機の断面図
【図８】本発明の実施の形態８における斜めドラム式洗濯乾燥機の断面図
【図９】本発明の実施の形態９における攪拌突起の斜視図
【図１０】本発明の実施の形態１０における斜めドラム式洗濯乾燥機の断面図
【図１１】従来のドラム式洗濯機の断面図
【符号の説明】
【００８８】
２    斜めドラム式洗濯乾燥機
３    回転ドラム
４    回転軸芯
５    開口端側
６    底面側
７    水槽内
８    凝縮器
９    蒸発器
１０  ヒートポンプユニット
１１  加熱ダクト
１２  除湿ダクト
１３  収納ケース
１４  外周壁部
１５  面材
１６  断熱材
１７  回転ドラム内
１８  真空断熱材
１９  放熱部材
２０  洗濯機筐体
２１  固定部材
２２  透孔
２３  前面の透孔
２４  奥面の透孔
２５  攪拌突起
２６  ヒータ
【図１】
2008086620.tif 000003
【図２】
2008086620.tif 000004
【図３】
2008086620.tif 000005
【図４】
2008086620.tif 000006
【図５】
2008086620.tif 000007
【図６】
2008086620.tif 000008
【図７】
2008086620.tif 000009
【図８】
2008086620.tif 000010
【図９】
2008086620.tif 000011
【図１０】
2008086620.tif 000012
【図１１】
2008086620.tif 000013